(57)【要約】      （修正有）【課題】コンパクト化や軽量化を容易とし、レコード盤載置台を汚れ難くするとともに、ＬＰレコード盤をより直感的に回転させることができるレコード盤回転具を提供する。【解決手段】レコード盤回転具１は、土台部１１と、土台部１１から上方に伸びた軸部１３と、土台部１１の上に軸部１３を回転軸として回転可能に配置され、中心位置が軸部１３と一致するようにＬＰレコード盤Ｒｃが載置される載置台部１２と、ＬＰレコード盤Ｒｃの中心領域を載置台部１２側へ押し付けるように、軸部１３に取り付けられる固定部１７とを有し、ＬＰレコード盤Ｒｃと載置台部１２を一体的に回転可能とする。載置台部１２は、中心位置が軸部１３に一致する略円板状に形成され、当該円板状の直径は、ＬＰレコード盤Ｒｃの直径より小さい。【選択図】図２
2020030876.tif 000002
【特許請求の範囲】
【請求項１】
土台部と、
前記土台部から上方に伸びた軸部と、
前記土台部の上に前記軸部を回転軸として回転可能に配置され、中心位置が前記軸部と一致するようにレコード盤が載置される載置台部と、
前記レコード盤の中心領域を前記載置台部側へ押し付けるように、前記軸部に取り付けられる固定部と、を有し、
前記レコード盤と前記載置台部を一体的に回転可能とするレコード盤回転具であって、
前記載置台部は、
中心位置が前記軸部に一致する円板状に形成され、当該円板状の直径をＬＰレコード盤の直径より小さくしたことを特徴とするレコード盤回転具。
【請求項２】
前記円板状の直径を、ＬＰレコード盤の直径の７０〜９０％の範囲内としたことを特徴とする請求項１に記載のレコード盤回転具。
【請求項３】
前記軸部は、前記土台部に対して回転自在に配置されており、
前記固定部は、前記軸部に設けた雄ネジに螺合する雌ネジを有していることを特徴とする請求項１または請求項２に記載のレコード盤回転具。
【請求項４】
使用者が前記固定部を持って、前記レコード盤と前記載置台部を一体的に回転させることが可能である請求項１から請求項３の何れかに記載のレコード盤回転具。
【請求項５】
前記土台部と前記載置台部の間に、回転自在とした複数個の球体が水平方向へ離して設けられ、
前記土台部は、前記球体を介して前記載置台部を支持することを特徴とする請求項１から請求項４の何れかに記載のレコード盤回転具。
【発明の詳細な説明】
【技術分野】
【０００１】
本発明はレコード盤を回転させるレコード盤回転具に関する。
【背景技術】
【０００２】
現在の音楽再生メディアとしてはＣＤ等のデジタルメディアが主流であるが、アナログのレコード盤も音楽愛好家の間で根強い人気がある。特にＬＰレコード盤は、最も一般的なレコード盤として広く普及している。このようなレコード盤の表面には音溝が設けられており、この音溝の形状により音楽のアナログ信号が提供される。すなわち、再生機側のレコード針が回転するレコード盤の表面に接し、再生機が上記アナログ信号を読取って音楽を再生することになる。
【０００３】
上述した原理により音楽が再生されるため、レコード盤の表面に脂や埃等の汚れが付着しているとアナログ信号の読取りに支障が生じ、再生品質の劣化が問題となる。そこで高品質な音楽再生を維持するためには、レコード盤を適宜掃除することが重要である。
【０００４】
レコード盤の掃除を行い易くするために、レコード盤を回転させるための用具が提案されている。例えば特許文献１には、レコード盤を載せる載置台を回転自在にし、容易にレコード盤のクリーニングを行い得るレコード盤クリーナ用載置台が開示されている。
【先行技術文献】
【特許文献】
【０００５】
【特許文献１】実全昭57-040116号公報
【発明の概要】
【発明が解決しようとする課題】
【０００６】
しかし上述した従来例のレコード盤クリーナ用載置台においては、レコード盤載置台の径寸法（直径の寸法）は、ＬＰレコード盤の直径（１２インチ）と同等以上になっている。そのため用具が大きくなり易く、コンパクト化や軽量化を図ることが容易ではない。
【０００７】
また、ＬＰレコード盤を回転させる際にも、上述した従来例では使用者がレコード盤載置台を回転させて、これに載置されたレコード盤を間接的に回転させるようにする。しかしこの場合は、使用者が何度も触れることでレコード盤載置台が汚れ易くなる虞がある。更にＬＰレコード盤を回転させる際には、使用者がレコード盤の縁に手を触れてこれを直接回転させる方が、ＬＰレコード盤をより直感的に回転させることが可能である。
【０００８】
本発明は上述した問題点に鑑み、コンパクト化や軽量化を容易とし、レコード盤載置台を汚れ難くするとともに、ＬＰレコード盤をより直感的に回転させることが可能となるレコード盤回転具の提供を目的とする。
【課題を解決するための手段】
【０００９】
本発明に係るレコード盤回転具は、土台部と、前記土台部から上方に伸びた軸部と、前記土台部の上に前記軸部を回転軸として回転可能に配置され、中心位置が前記軸部と一致するようにレコード盤が載置される載置台部と、前記レコード盤の中心領域を前記載置台部側へ押し付けるように、前記軸部に取り付けられる固定部と、を有し、前記レコード盤と前記載置台部を一体的に回転可能とするレコード盤回転具であって、前記載置台部は、中心位置が前記軸部に一致する略円板状に形成され、当該円板状の直径をＬＰレコード盤の直径より小さくした構成とする。本構成によれば、コンパクト化や軽量化を容易とし、レコード盤載置台を汚れ難くするとともに、ＬＰレコード盤をより直感的に回転させることが可能となる。
【００１０】
また上記構成としてより具体的には、前記円板状の直径を、ＬＰレコード盤の直径の７０〜９０％の範囲内とした構成としてもよい。また上記構成としてより具体的には、前記軸部は、前記土台部に対して回転自在に配置されており、前記固定部は、前記軸部に設けた雄ネジに螺合する雌ネジを有している構成としてもよい。
【００１１】
また上記構成としてより具体的には、使用者が前記固定部を持って、前記レコード盤と前記載置台部を一体的に回転させることが可能である構成としてもよい。また上記構成としてより具体的には、前記土台部と前記載置台部の間に、回転自在とした複数個の球体が水平方向へ離して設けられ、前記土台部は、前記球体を介して前記載置台部を支持する構成としてもよい。
【発明の効果】
【００１２】
本発明に係るレコード盤回転具によれば、コンパクト化や軽量化を容易とし、レコード盤載置台を汚れ難くするとともに、ＬＰレコード盤をより直感的に回転させることが可能となる。
【図面の簡単な説明】
【００１３】
【図１】本実施形態に係るレコード盤回転具１の概略的な構成図である。
【図２】図１におけるＡ−Ａ´断面の概略的な矢視図である。
【図３】レコード盤回転具１にＬＰレコード盤をセットする様子の説明図である。
【発明を実施するための形態】
【００１４】
以下、本発明の実施形態について各図面を参照しながら説明する。
【００１５】
図１は、ＬＰレコード盤Ｒｃ（レコード盤の一例）がセットされた状態における、本実施形態に係るレコード盤回転具１の上方視点による概略的な構成図である。また図２は、図１におけるＡ−Ａ´断面の概略的な矢視図である。なお以下の説明における上下の方向は、図２に示すとおりである。本図に示すようにレコード盤回転具１は、土台部１１、載置台部１２、軸部１３、球体１４、シート部１５、固定補助板部１６、および固定部１７を備えている。
【００１６】
土台部１１は、レコード盤回転具１の土台として機能する部分であり、樹脂により概ね円板状に形成されている。土台部１１の直径（径寸法）は、２５cmとされている。土台部１１の中心には、上方へ伸びる金属製の軸部１３が回転自在に設けられている。軸部１３の上側端部近傍には雄ネジが形成されており、固定部１７の下側に設けられた雌ネジを螺合させることが可能である。
【００１７】
載置台部１２は、土台部１１と同じ径寸法で、樹脂により概ね円板状に形成されている。また載置台部１２は、土台部１１の上に軸部１３を回転軸として回転可能に配置されており、上方視で土台部１１と載置台部１２はちょうど重なっている。軸部１３は載置台部１２に固定されている。また、土台部１１は、軸部１３の下端に設けた鍔部１３ａと載置台部１２に挟まれることにより、軸部１３および載置台部１２と一体化されている。
【００１８】
載置台部１２の上には、レコード盤の中心の孔を軸部１３に通すようにして、中心位置が軸部１３と一致するようにレコード盤を載置することが可能である。本実施形態の例では、載置台部１２の上にシート部１５を介してレコード盤が載置される。シート部１５は、載置台部１２とレコード盤の間に介在し、樹脂製の載置台部１２がレコード盤に直接触れて傷付けないようにする役割を果たす。シート部１５は、例えばフェルト生地を用いて、載置台部１２と同じ径寸法の円形に形成されている。
【００１９】
固定補助板部１６は、径寸法が１０cmの薄い円板状に形成されており、載置台部１２に載置されたレコード盤の上に重ねて載置される。固定補助板部１６は中心に孔が設けられており、この孔を軸部１３に通すようにして、中心位置が軸部１３と一致するように固定補助板部１６を載置することが可能である。固定補助板部１６は、下側の層をゴム材質で形成して上側の層を樹脂材質で形成した二層構造となっている。レコード盤との接触部分をゴム材質で形成することにより、レコード盤と固定補助板部１６の間の滑りを極力防ぐことが可能である。固定部１７は、先述したとおり、軸部１３に設けた雄ネジに螺合する雌ネジを有しており、人の手で持ち易い形状および寸法に形成されている。
【００２０】
なお、土台部１１と載置台部１２の間には、回転自在とした複数個の球体１４が水平方向（上下方向と直交する方向）へ離して設けられており、土台部１１は、これらの球体１４を介して載置台部１２を支持している。図２は、レコード盤回転具１（シート部１５、固定補助板部１６、および固定部１７を省略した状態）の上方視による概略的な構成図である。
【００２１】
本実施形態では、複数個の球体１４それぞれは金属材質で形成されており、図２に点線で示す位置に配置されている。このように球体１４を介して載置台部１２が支持されることにより、載置台部１２をよりスムーズに回転させることが可能である。なお、各球体１４を配置する位置や個数などは、載置台部１２がスムーズに回転可能となるように他の形態が採用されても良い。
【００２２】
図３は、レコード盤回転具１にＬＰレコード盤Ｒｃをセットする様子を模式的に示した図（図１と同視点の断面図）である。図３（ａ）は、土台部１１および軸部１３と一体化された載置台部１２の上に、シート部１５が載置された状態を示している。シート部１５の中心に設けられた孔に軸部１３が通されているため、シート部１５は、上方視で載置台部１２にちょうど重なるように位置決めされている。
【００２３】
この状態において、図３（ｂ）に示すように、ＬＰレコード盤Ｒｃがシート部１５の上に載置される。ＬＰレコード盤Ｒｃの中心の孔に軸部１３が通されているため、ＬＰレコード盤Ｒｃは中心が軸部１３と一致するように位置決めされている。更にこの状態において、図３（ｃ）に示すように、固定補助板部１６がＬＰレコード盤Ｒｃの上に載置される。固定補助板部１６の中心の孔に軸部１３が通されているため、固定補助板部１６は中心が軸部１３と一致するように位置決めされている。
【００２４】
ＬＰレコード盤Ｒｃの上に固定補助板部１６を載置した状態で、軸部１３の雄ネジと固定部１７の雌ネジを螺合させて固定部１７を回転させると、固定部１７は徐々に下方へ進む。このようにして図３（ｄ）に示すように、固定補助板部１６を介してレコード盤の中心領域を載置台部１２側へ押し付けるように、固定部１７が軸部１３に取り付けられる。以上のようにして、レコード盤回転具１にＬＰレコード盤Ｒｃがセットされる。この状態では、土台部１１を土台として、ＬＰレコード盤Ｒｃ、載置台部１２、軸部１３、シート部１５、固定補助板部１６、および固定部１７が一体的に回転可能となっている。レコード盤回転具１からＬＰレコード盤Ｒｃを取り除く際には、上記の手順と逆の作業を行えば良い。
【００２５】
なお、ＬＰレコード盤Ｒｃの径寸法は載置台部１２の径寸法よりも大きいため、その分、ＬＰレコード盤Ｒｃの縁が載置台部１２の外縁よりも径方向外向きに張出している。そのため使用者は、ＬＰレコード盤Ｒｃの縁を横から手で撫でるようにして、図１に点線矢印で示す方向にＬＰレコード盤Ｒｃを回転させることが可能である。
【００２６】
使用者はこのように一方の手でＬＰレコード盤Ｒｃを回転させながら、他方の手に持ったブラシやクロス等をＬＰレコード盤Ｒｃの表面に当てることにより、ＬＰレコード盤Ｒｃの上側表面を簡単に満遍なくクリーニングすることができる。この際に使用者は、ＬＰレコード盤Ｒｃの縁を手で撫でるようにして、載置台部１２に触れることなくＬＰレコード盤Ｒｃを回転させることができるため、載置台部１２を汚したり、載置台部１２の汚れが手に付着したりすることは回避される。また使用者は、ＬＰレコード盤Ｒｃの縁に手を触れてこれを直接回転させるため、ＬＰレコード盤Ｒｃをより直感的に回転させることが可能である。更に本実施形態では、ＬＰレコード盤Ｒｃの全周の縁近傍が上下の両面ともに露出しているため、クロス等で当該両面を同時にクリーニングすることも可能である。
【００２７】
なお、ＬＰレコード盤Ｒｃの径寸法に比べて載置台部１２の径寸法が小さ過ぎると、ＬＰレコード盤Ｒｃにおける載置台部１２に支持されない領域が大きくなり過ぎて、回転させる際にＬＰレコード盤Ｒｃに無理な力がかかったり、ＬＰレコード盤Ｒｃの姿勢が不安定となったりする虞がある。一方、ＬＰレコード盤Ｒｃの径寸法に比べて載置台部１２の径寸法が同等あるいは僅かに小さい程度であると、ＬＰレコード盤Ｒｃの縁に手を触れる際に、誤って載置台部１２の側部にも手を触れてしまう虞がある。これらの点を考慮して、載置台部１２の径寸法は、ＬＰレコード盤Ｒｃの径寸法の７０〜９０％の範囲内とすることが望ましい。本実施形態の例では、載置台部１２の径寸法（２５cm）はＬＰレコード盤Ｒｃの径寸法（１２インチ＝30.48cm）の約８２％となっており、上記の範囲内に収まっている。
【００２８】
また、ＬＰレコード盤Ｒｃの中心領域に貼り付けられるレーベルは、一般的に直径１０cmのサイズとされる。そこで本実施形態の固定補助板部１６も、レコード盤回転具１にセットされたＬＰレコード盤Ｒｃのレーベルを過不足無く覆うように、直径１０cmのサイズに設定されている。これにより、例えば洗浄液を用いてＬＰレコード盤Ｒｃをクリーニングする場合であっても、レーベルを濡らすことなく、かつ、レーベルが貼られていない部分を満遍なくクリーニングすることが容易である。
【００２９】
以上の説明では、レコード盤の具体例としてＬＰレコード盤を挙げたが、同寸法の１２インチシングル盤についても同様に扱うことができる。また、本実施形態のレコード盤回転具１は、これらよりも径寸法の小さいレコード盤（ＥＰレコード盤など）をセットして回転させることも可能である。このケースでは、ＬＰレコード盤Ｒｃの場合と同様にしてレコード盤をセットした後、使用者は、固定部１７を手で持って捻るようにして、当該レコード盤と載置台部１２を一体的に回転させることが可能である。なお使用者の好みや状況等に応じて、ＬＰレコード盤をセットした場合にも、このように固定部１７を用いて回転させるようにしても良い。
【００３０】
以上に説明したとおり、レコード盤回転具１はレコード盤と載置台部１２を一体的に回転可能とするものであって、載置台部１２は中心位置が軸部１３に一致する略円板状に形成され、当該円板状の直径をＬＰレコード盤の直径より小さくしている。そのため載置台部１２（レコード盤載置台）を汚れ難くするとともに、ＬＰレコード盤をより直感的に回転させることが可能となっている。また更に、載置台部１２の径寸法を比較的小さくすることができるため、その分、レコード盤回転具１のコンパクト化や軽量化が容易となっている。
【００３１】
以上、本発明の実施形態について説明したが、本発明の構成は上記実施形態に限られず、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００３２】
本発明は、レコードを回転させるレコード盤回転具に利用可能である。
【符号の説明】
【００３３】
１        レコード盤回転具
１１      土台部
１２      載置台部
１３      軸部
１３ａ    鍔部
１４      球体
１５      シート部
１６      固定補助板部
１７      固定部
Ｒｃ      ＬＰレコード盤
【図１】
2020030876.tif 000003
【図２】
2020030876.tif 000004
【図３】
2020030876.tif 000005